(57)【要約】      （修正有）【課題】コンデンサーの充電電圧を電源とする電源制御装置の動作不能を防ぐ。【解決手段】電源制御装置１００は、第１ノードＶＨに入力された全波整流電圧を第２ノードＶｃｃに接続されたコンデンサーに、オンによって充電させる起動回路１３０と、第２ノードＶｃｃの電圧が低下する場合に第２電圧未満となってから第２ノードＶｃｃの電圧が上昇して第３電圧に達したと検出された場合であって、かつ、第１ノードＶＨの電圧が第１電圧値未満であると検出された場合に、起動回路１３０をオンさせる制御回路１１０と、含む。制御回路１１０は、第２ノードＶｃｃの電圧が第２電圧よりも第４電圧未満となったと検出された場合、第１ノードの電圧が第１電圧未満であると検出されていなくても、起動回路１１０をオンさせる。【選択図】図２
2020156257.tif 000002
【特許請求の範囲】
【請求項１】
第１ノードに入力された全波整流電圧を第２ノードに接続されたコンデンサーに、オンによって充電させる起動回路と、
前記第１ノードの電圧が第１電圧未満であるか否かを検出する第１検出回路と、
前記第２ノードの電圧が低下して第２電圧未満となったか否か、および、前記第２ノードの電圧が上昇して前記第２電圧よりも高い第３電圧以上となったか否かを検出する第２検出回路と、
前記第２ノードの電圧が前記第２電圧よりも低い第４電圧未満となったか否かを検出する第３検出回路と、
前記第２検出回路によって前記第２ノードの電圧が低下して前記第２電圧未満となったと検出されてから前記第２ノードの電圧が上昇して前記第３電圧に達した検出されるまでの期間のうち、前記第１検出回路によって前記第１ノードの電圧が前記第１電圧未満であると検出されたとき、前記起動回路をオンさせる制御回路と、
を含み、
前記制御回路は、
前記第３検出回路によって前記第２ノードの電圧が前記第４電圧未満となったと検出された場合、前記第１検出回路によって前記第１ノードの電圧が前記第１電圧未満であると検出されていなくても、前記起動回路をオンさせる
電源制御装置。
【請求項２】
第１ノードに入力された全波整流電圧を第２ノードに接続されたコンデンサーに、オンによって充電させる起動回路と、
前記第１ノードの電圧が第１電圧未満であるか否かを検出する第１検出回路と、
前記第２ノードの電圧が低下して第２電圧未満となったか否か、および、前記第２ノードの電圧が上昇して前記第２電圧よりも高い第３電圧以上となったか否かを検出する第２検出回路と、
前記第２ノードの電圧が前記第２電圧よりも低い第４電圧未満となったか否かを検出する第３検出回路と、
前記第２検出回路によって前記第２ノードの電圧が低下して前記第２電圧未満となったと検出されてから前記第２ノードの電圧が上昇して前記第３電圧に達した検出されるまでの期間のうち、前記第１検出回路によって前記第１ノードの電圧が前記第１電圧未満であると検出されたとき、前記起動回路をオンさせる制御回路と、
前記第３検出回路によって前記第２ノードの電圧が前記第４電圧未満となったと検出された場合、前記第１電圧を、前記第１電圧と異なる電圧に切り替える切替回路と、
を含む電源制御装置。
【請求項３】
前記第２ノードの電圧が前記第２電圧を下回ってから前記第３電圧に達するまでに、前記起動回路がオンした回数を計数する計数回路を備え、
前記切替回路は、
ｍ、ｎをｍ＜ｎを満たす整数とした場合に、
前記計数回路によって計数された回数がｍ以下であれば、前記第１電圧を、当該第１電圧よりも低位の電圧に切り替え、ｎ以上であれば、前記第１電圧を、当該第１電圧よりも高位の電圧に切り替える
請求項２に記載の電源制御装置。
【請求項４】
前記第１ノードに入力された全波整流電圧のピーク電圧よりも低い電圧を複数生成する生成回路と、
前記切替回路は、前記生成回路によって生成された複数の電圧のうち、いずれかを選択して、前記第１電圧から切り替える
請求項３に記載の電源制御装置。
【請求項５】
前記第１ノードに蓄積された電荷をオンによって放電させる放電回路を備え、
前記制御回路は、
前記第２ノードの電圧が低下して前記第２電圧未満となってから、前記第２ノードの電圧が上昇して前記第３電圧以上となるまでの期間の一部または全部にわたって前記放電回路をオンさせる
請求項１乃至４のいずれかに記載の電源制御装置。
【請求項６】
請求項１乃至５のいずれかに記載の電源制御装置と、
交流電圧を整流する第１整流回路と、
前記交流電圧を全波整流して前記全波整流電圧として前記第１ノードに供給する第２整流回路と、
一次巻線、二次巻線および補助巻線を有するトランスと、
前記第１整流回路における出力両端の間に、前記一次巻線と直列に設けられたスイッチング素子と、
前記二次巻線に誘起された電圧を整流および平滑化して出力する第１出力回路と、
前記補助巻線に誘起された電圧を整流および平滑化して前記第２ノードに出力する第２出力回路と、
を含み、
前記電源制御装置は、前記スイッチング素子のスイッチングを制御する
スイッチング電源。
【発明の詳細な説明】
【技術分野】
【０００１】
本発明は、例えば電源制御装置およびスイッチング電源に関する。
【背景技術】
【０００２】
従来より、交流電源による交流電圧を整流して得られる直流電圧を、スイッチング素子によってオン／オフして、トランスの一次巻線に供給し、当該トランスの二次巻線に誘起された電圧を整流および平滑化することで、出力電圧を生成するスイッチング電源が知られている。ここで、スイッチング素子のオン／オフは、半導体に集積化された電源制御装置によって制御される構成が一般的である。
このような電源制御装置の電源には、スイッチング素子のオン／オフによって上記トランスの補助巻線に誘起された電圧が用いられる。具体的には、電源制御装置の電源には、補助巻線に誘起された電圧を整流してコンデンサーに充電させた電圧が用いられる。
ここで、なんらかの理由によって、コンデンサーの充電電圧が不足した場合には、電源制御装置の内部に設けられた起動回路をオンさせて、上記交流電源による交流電圧の全波整流電圧をコンデンサーに充電させる技術が知られている（例えば特許文献１参照）。
この技術では、全波整流電圧が高い状態で起動回路をオンさせると、損失が大きくなるので、全波整流電圧を入力するノードの電圧がしきい値未満であるときに起動回路をオンさせている。
【先行技術文献】
【特許文献】
【０００３】
【特許文献１】特開２０１１−２４４６０２号公報
【発明の概要】
【発明が解決しようとする課題】
【０００４】
しかしながら、上記技術において、コンデンサーの充電電圧を消費する負荷が重い場合、起動回路のオンによるコンデンサーの充電が間に合わないために、充電電圧が低下して、当該充電電圧を電源とする電源制御装置が動作不能に陥ってしまう可能性がある、という課題があった。
【課題を解決するための手段】
【０００５】
上記課題を解決するために、一態様に係る電源制御装置は、第１ノードに入力された全波整流電圧を第２ノードに接続されたコンデンサーに、オンによって充電させる起動回路と、前記第１ノードの電圧が第１電圧未満であるか否かを検出する第１検出回路と、前記第２ノードの電圧が低下して第２電圧未満となったか否か、および、前記第２ノードの電圧が上昇して前記第２電圧よりも高い第３電圧以上となったか否かを検出する第２検出回路と、前記第２ノードの電圧が前記第２電圧よりも低い第４電圧未満となったか否かを検出する第３検出回路と、前記第２検出回路によって前記第２ノードの電圧が低下して前記第２電圧未満となったと検出されてから前記第２ノードの電圧が上昇して前記第３電圧に達した検出されるまでの期間のうち、前記第１検出回路によって前記第１ノードの電圧が前記第１電圧未満であると検出されたとき、前記起動回路をオンさせる制御回路と、を含み、前記制御回路は、前記第３検出回路によって前記第２ノードの電圧が前記第４電圧未満となったと検出された場合、前記第１検出回路によって前記第１ノードの電圧が前記第１電圧未満であると検出されていなくても、前記起動回路をオンさせる。
【０００６】
また、上記課題を解決するために、別態様に係る電源制御装置は、第１ノードに入力された全波整流電圧を第２ノードに接続されたコンデンサーに、オンによって充電させる起動回路と、前記第１ノードの電圧が第１電圧未満であるか否かを検出する第１検出回路と、前記第２ノードの電圧が低下して第２電圧未満となったか否か、および、前記第２ノードの電圧が上昇して前記第２電圧よりも高い第３電圧以上となったか否かを検出する第２検出回路と、前記第２ノードの電圧が前記第２電圧よりも低い第４電圧未満となったか否かを検出する第３検出回路と、前記第２検出回路によって前記第２ノードの電圧が低下して前記第２電圧未満となったと検出されてから前記第２ノードの電圧が上昇して前記第３電圧に達した検出されるまでの期間のうち、前記第１検出回路によって前記第１ノードの電圧が前記第１電圧未満であると検出されたとき、前記起動回路をオンさせる制御回路と、前記第３検出回路によって前記第２ノードの電圧が前記第４電圧未満となったと検出された場合、前記第１電圧を、前記第１電圧と異なる電圧に切り替える切替回路と、を含む。
【図面の簡単な説明】
【０００７】
【図１】第１実施形態に係る電源制御装置を含むスイッチング電源を示す図である。
【図２】第１実施形態に係る電源制御装置を示す図である。
【図３】電源制御装置における降圧回路等を示す図である。
【図４】電源制御装置に入力されるノードＶHの電圧波形を示す図である。
【図５】ノードＶH、Ｖccの電圧に対する充電動作を示す図である。
【図６】ノードＶHの電圧波形を示す図である。
【図７】ノードＶHの電圧に対する充電動作を示す図である。
【図８】ノードＶH、Ｖccの電圧に対する充電動作および放電動作を示す図である。
【図９】ノードＶH、Ｖccの電圧に対する充電動作および放電動作を示す図である。
【図１０】第２実施形態に係る電源制御装置を示す図である。
【図１１】ノードＶH、Ｖccの電圧に対する充電動作および放電動作を示す図である。
【図１２】第３実施形態に係る電源制御装置を示す図である。
【図１３】第４実施形態に係る電源制御装置を示す図である。
【図１４】ノードＶH、Ｖccの電圧に対する充電動作および放電動作を示す図である。
【図１５】比較例に係る電源制御装置を示す図である。
【発明を実施するための形態】
【０００８】
以下、実施形態に係る駆動制御装置について、図面を参照して説明する。なお、各図において、各部の寸法および縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【０００９】
図１は、第１実施形態に係る電源制御装置１００を含むスイッチング電源１を示す図である。この図に示されるように、スイッチング電源１は、いわゆるフライバック方式である。具体的には、スイッチング電源１は、トランジスターＱ１１のオンによってトランス４０の一次巻線Ｐに電流を流してエネルギーを蓄え、蓄えたエネルギーをトランジスターＱ１１のオフによって、トランス４０の二次巻線Ｓからダイオードｄ１４を介して出力し、コンデンサーＣ１４によって平滑化して、ＤＣの電圧Ｖoutを生成する構成となっている。
【００１０】
第１整流回路の一例であるダイオードブリッジＤbは、交流電源１０による交流電圧を整流する。ダイオードブリッジＤbにおける正側端子は、トランス４０における一次巻線Ｐの一端およびコンデンサーＣ１１の一端に接続され、ダイオードブリッジＤbにおける負側端子およびコンデンサーＣ１１の他端は、電圧ゼロのノードＧndに接地されている。
トランス４０は、一次巻線Ｐのほか、二次巻線Ｓおよび補助巻線Ｄを有し、このうち、一次巻線Ｐの他端は、トランジスターＱ１１のドレインノードに接続されている。スイッチング素子の一例であるトランジスターＱ１１は、例えばＮチャネル型のＭＯＳＦＥＴであり、ソースノードが抵抗素子Ｒ１２の一端に接続されている。抵抗素子Ｒ１２の他端は、ノードＧndに接地されている。このため、ダイオードブリッジＤbにおける正側端子と負側端子との間には、一次巻線ＰとトランジスターＱ１１とが直列に設けられることになる。
なお、スナバ回路Ｓnbは、トランス４０における一次巻線Ｐの一端および他端の間に設けられ、トランジスターＱ１１のオン／オフによって一次巻線Ｐに発生する過渡的な電圧を吸収する。
【００１１】
二次巻線Ｓの一端はダイオードｄ１４のアノードに接続されている。コンデンサーＣ１４は、ダイオードｄ１４のカソードと二次巻線Ｓの他端との間に接続され、コンデンサーＣ１４によって平滑化された電圧がＶoutとして出力される。このため、ダイオードｄ１４およびコンデンサーＣ１４が、二次巻線Ｓに誘起された電圧を整流および平滑化する第１出力回路の一例として機能する。
フォトカプラーにおける発光ダイオードＰctのアノードは、ダイオードｄ１４のカソードに接続され、発光ダイオードＰctのカソードは、エラーアンプ５０に接続されている。
エラーアンプ５０は、電圧Ｖoutと内部の基準電圧との偏差に応じた電流を発光ダイオードＰctに流す。
【００１２】
トランス４０における補助巻線Ｄの一端には、ダイオードｄ１３のアノードが接続され、当該ダイオードｄ１３のカソードは、電源制御装置１００の電源端子となるノードＶccおよびコンデンサーＣ１２の一端に接続されている。なお、補助巻線Ｄの他端およびコンデンサーＣ１２の他端はノードＧndに接地されている。
トランス４０の補助巻線Ｄに誘起された電圧がダイオードｄ１３によって整流され、コンデンサーＣ１２によって平滑化および充電されて、ノードＶccに電源制御装置１００の電源電圧として供給される。このため、ダイオードｄ１３およびコンデンサーＣ１２が、補助巻線Ｄに誘起された電圧を整流および平滑化する第２出力回路の一例として機能する。
なお、ノードＶccは第２ノードの一例である。また、コンデンサーＣ１２には、補助巻線Ｄの誘起電圧をダイオードｄ１３によって整流された電圧が充電される場合のほかにも、後述するノードＶHを介して供給される電圧が充電される場合もある。
【００１３】
フォトカプラーのフォトトランジスターＰcrのエミッタは、ノードＧndに接地され、コレクタは、電源制御装置１００におけるノードＦbに接続されている。コンデンサーＣ１３は、フォトトランジスターＰcrと並列に接続されている。
電源制御装置１００は、例えば半導体に集積化され、内部電源電圧から抵抗でプルアップされたノードＦbにフォトトランジスターＰcrに流れる電流による電圧が生成される。このため、ノードＦbには、電圧Ｖoutの偏差に応じた電圧が生成される。特に図示しないが、電源制御装置１００は、ノードＦbの電圧を検出して、当該電圧で示される偏差をゼロとなる方向にトランジスターＱ１１のオン／オフを制御する。具体的には、電源制御装置１００は、当該偏差をゼロとなる方向にＰＷＭ信号を生成して、トランジスターＱ１１のゲートノードに供給する。
なお、図１では、トランジスターＱ１１は、電源制御装置１００とは別体となっているが、電源制御装置１００に集積化された構成としてもよい。
【００１４】
また、交流電源１０による交流電圧は、ダイオードｄ１１およびｄ１２によって全波整流されて、電源制御装置１００におけるノードＶHに印加される。このため、ダイオードｄ１１およびｄ１２が第２整流回路の一例である。
【００１５】
交流電源１０の接続直後の場合、または、電源投入直後の場合には、コンデンサーＣ１２に十分な電圧が充電されていない。また、なんらかの理由によって、トランジスターＱ１１がオン／オフしない場合には、補助巻線Ｄに電圧が誘起されないので、コンデンサーＣ１２に充電された電圧が減少し、充電電圧が不十分となる。このような場合に備えて、電源制御装置１００は、ノードＶHに印加された電圧を用いて、コンデンサーＣ１２に充電する制御も行う。
【００１６】
図２は、このような電源制御装置１００の一例を示す図である。この図に示されるように、電源制御装置１００は、抵抗素子Ｒ２１、Ｒ２２、Ｒ３１、Ｒ３２、コンパレーター１０２、１０４、１０６、制御回路１１０、降圧回路１２０、起動回路１３０および放電回路１４０を含む。
【００１７】
降圧回路１２０は、ノードＶHの電圧を降圧してノードＮに印加する。なお、ノードＶHは第１ノードの一例である。起動回路１３０は、オンしたときにノードＮからノードＶccに定電流を流して、コンデンサーＣ１２を充電する。放電回路１４０は、ノードＶHに寄生する容量に蓄積された電荷を、オンでしたときにノードＮを介して放電させる。
【００１８】
図３は、降圧回路１２０、起動回路１３０および放電回路１４０の構成の一例を示す図である。
【００１９】
この図において、降圧回路１２０は、例えばＪＦＥＴのトランジスター１２２により構成される。降圧回路１２０は、ノードＶHの電圧をトランジスター１２２のピンチオフ成分によって降圧させてノードＮに印加する。
起動回路１３０は、例えばノードＮとノードＶccとの間に直列に接続された抵抗素子１３２とトランジスター１３４とを含む。トランジスター１３４のゲートノードには、制御回路１１０から出力される信号Ｓtが供給されて、当該信号Ｓtによって、ノードＶccを介したコンデンサーＣ１２への充電のオン／オフが制御される。起動回路１３０がオンすると、ノードＶHに印加された電圧が、降圧回路１２０による降圧を経てノードＶccに印加される。
放電回路１４０は、例えばノードＮとノードＧndとの間に直列に接続された抵抗素子１４２とトランジスター１４４とを含む。トランジスター１４４のゲートノードには、制御回路１１０から出力される信号Ｄscが供給されて、当該信号Ｄscによってオン／オフが制御される。トランジスター１４４がオンすると、ノードＶHに寄生する容量に蓄積された電荷が、トランジスター１２２および抵抗素子１４２を経てノードＧndに放電される。
【００２０】
説明を再び図２に戻すと、抵抗素子Ｒ２１、Ｒ２２は、ノードＶHの電圧を分圧してコンパレーター１０２の負入力端（−）に印加する。コンパレーター１０２の正入力端（＋）には、電圧Ｖref1が印加される。
コンパレーター１０２は、負入力端（−）の電圧が正入力端（＋）に印加された電圧Ｖref1未満である場合にはＨレベルの信号を、それ以外の場合にはＬレベルの信号を出力する。ここで、電圧Ｖref1は、ノードＶHの電圧がしきい値Ｖth_acである場合に、当該ノードＶHの電圧を抵抗素子Ｒ２１、Ｒ２２によって分圧した電圧に相当する。このため、コンパレーター１０２は、ノードＶHの電圧がしきい値Ｖth_ac未満であるか否かを検出する第１検出回路の一例となる。なお、しきい値Ｖth_acが第１電圧の一例である。
【００２１】
抵抗素子Ｒ３１、Ｒ３２は、ノードＶccの電圧を分圧してコンパレーター１０４の負入力端（−）およびコンパレーター１０６の負入力端（−）に印加する。コンパレーター１０４の正入力端（＋）には、電圧Ｖref2が印加され、コンパレーター１０６の正入力端（＋）には、電圧Ｖref3が印加される。
コンパレーター１０４は、ヒステリシスコンパレーターであり、負入力端（−）の電圧が低下している場合に適用されるしきい値と、上昇している場合に適用されるしきい値とが異なっている。詳細には、コンパレーター１０４は、負入力端（−）の電圧が低下している場合、当該負入力端（−）の電圧が正入力端（＋）に印加された電圧Ｖref2をαだけ低位側にシフトした電圧（Ｖref2−α）未満になればＨレベルの信号を出力する。また、コンパレーター１０４は、負入力端（−）の電圧が上昇している場合、当該負入力端（−）の電圧が正入力端（＋）に印加された電圧Ｖref2をαだけ高位側にシフトした電圧（Ｖref2＋α）以上になればＬレベルの信号を出力する。
【００２２】
ここで、電圧（Ｖref2−α）は、ノードＶccの電圧がしきい値Ｖdet_Lである場合に、当該ノードＶccの電圧を抵抗素子Ｒ３１、Ｒ３２によって分圧した電圧に相当する。同様に、電圧（Ｖref2＋α）は、ノードＶccの電圧がしきい値Ｖdet_Uである場合に、当該ノードＶccの電圧を抵抗素子Ｒ３１、Ｒ３２によって分圧した電圧に相当する。
【００２３】
コンパレーター１０４は、ノードＶccの電圧が低下して当該電圧がしきい値Ｖdet_L未満となったか否かを検出するとともに、ノードＶccの電圧が上昇して当該電圧がしきい値Ｖdet_U以上となったか否かを検出する第２検出回路の一例となる。
【００２４】
コンパレーター１０６は、負入力端（−）の電圧が正入力端（＋）に印加された電圧Ｖref3未満である場合にはＨレベルの信号を、それ以外の場合にはＬレベルの信号を出力する。ここで、電圧Ｖref3は、ノードＶccの電圧がしきい値Ｖmin_Lmtである場合に、当該ノードＶccの電圧を抵抗素子Ｒ３１、Ｒ３２によって分圧した電圧に相当する。このため、コンパレーター１０６は、ノードＶccの電圧がしきい値Ｖmin_Lmt未満であるか否かを検出する第３検出回路の一例となる。
【００２５】
なお、しきい値Ｖdet_L、Ｖdet_U、Ｖmin_Lmtは、以下の関係にある。
Ｖmin_Lmt＜Ｖdet_L＜Ｖdet_U
ここで、しきい値Ｖdet_Lが第２電圧の一例であり、しきい値Ｖdet_Uが第３電圧の一例であり、しきい値Ｖmin_Lmtは、第４電圧の一例である。
【００２６】
制御回路１１０は、コンパレーター１０２、１０４および１０６による検出結果に基づいて起動回路１３０および放電回路１４０を制御する。詳細については後述するが、制御回路１１０は、ノードＶccの電圧がしきい値Ｖdet_Lまで低下してからしきい値Ｖdet_Uまで上昇する期間において放電回路１４０をオンさせ、同期間においてノードＶHの電圧がしきい値Ｖth_ac未満であるときに起動回路１３０をオンさせる。
ただし、制御回路１１０は、ノードＶccの電圧がしきい値Ｖdet_Lからさらに低下して、ノードＶccの電圧がしきい値Ｖmin_Lmt未満となった場合、ノードＶHの電圧にかかわらず、すなわち、コンパレーター１０２の検出結果にかかわらず、起動回路１３０をオンさせる。なお、制御回路１１０は、ノードＶccの電圧がしきい値Ｖdet_Uまで上昇したときに、起動回路１３０をオフさせる。
【００２７】
ここで、本実施形態において、図２に示されるような構成を採用した過程について説明する。
制御回路１１０は、電源投入直後等のように、ノードＶccの電圧が不十分である場合、ノードＶHの電圧を用いてコンデンサーＣ１２を充電する。詳細には、制御回路１１０は、ノードＶccの電圧が不十分である場合、ノードＶHに印加された電圧波形、詳細には、図４に示されるような全波整流された電圧波形の入力を検出すると、起動回路１３０をオンさせる。これにより、ノードＶHに印加された電圧が降圧回路１２０によって降圧されて、コンデンサーＣ１２に充電されるので、ノードＶccの電圧が上昇する。制御回路１１０は、ノードＶccの電圧が、例えばしきい値Ｖdet_Uに達したことを検出すると、起動回路１３０をオフさせるとともに、トランジスターＱ１１のオン／オフを開始させる。このスイッチングにより、補助巻線Ｄには電圧が誘起されて、当該誘起された電圧はダイオードｄ１３によって整流されて、コンデンサーＣ１２に充電される。
【００２８】
トランジスターＱ１１をスイッチングさせている場合に、異常状態等が検出されると、制御回路１１０は、トランジスターＱ１１のオン／オフを停止させる。トランジスターＱ１１のオン／オフが停止すると、補助巻線Ｄには電圧が誘起されないので、コンデンサーＣ１２の充電電圧、すなわち、ノードＶccの電圧が低下する。
異常状態等によってトランジスターＱ１１のオン／オフが停止しても、ノードＶccの電圧を所定の範囲、具体的にはＩＣが制御できる電圧範囲に収まるように制御する必要がある。
【００２９】
そこで、本実施形態に対する比較例では、次のような制御を実行することが考えられた。なお、図１５は、比較例に係る電源制御装置を示す図であり、図２の本実施形態の構成と比較して、コンパレーター１０６および放電回路１４０を有しない。また、制御回路１１０についても、コンパレーター１０６および放電回路１４０を有しないので、制御内容も図２の構成と比較して異なる。
比較例では、ノードＶccの電圧が低下してしきい値Ｖdet_L未満になると、制御回路１１０が起動回路１３０をオンさせる。
【００３０】
これにより、ノードＶHに印加された電圧は、降圧回路１２０によって降圧されて、オンした起動回路１３０を介してノードＶccに印加され、コンデンサーＣ１２に充電されるので、ノードＶccの電圧は上昇する。ノードＶccの電圧がしきい値Ｖdet_U以上になると、制御回路１１０は、起動回路１３０をオフさせる。これにより、トランジスターＱ１１のオン／オフが停止していても、ノードＶccの電圧は、しきい値Ｖdet_L以上しきい値Ｖdet_U未満の範囲に収まるように制御される。
【００３１】
ただし、このような制御では、降圧回路１２０による損失、特にノードＶHの電圧が比較的高い状態での損失が大きいので、次のような制御を実行することが考えられた。詳細には、制御回路１１０は、図５に示されるように、ノードＶccの電圧がしきい値Ｖdet_Lを下回ってからしきい値Ｖdet_U未満の範囲にある期間のうち、ノードＶHがしきい値Ｖth_ac未満であるときに、起動回路１３０をオンさせる。
なお、図５において信号Ｓtについては、論理レベルを示しているのではなく、当該Ｓtに基づく起動回路１３０のオン／オフの状態を示している。
このような起動回路１３０のオンによって、降圧回路１２０での損失が少なくなるので、低消費電力化を図ることができる、と考えられた。
【００３２】
しかしながら、このような制御は、ノードＶHの電圧波形が理想的な全波整流波形であることを前提としている。実際に起動回路１３０がオフした場合、ノードＶHからみて、ノードＶcc側の負荷が軽くなるので、ノードＶHに寄生する容量成分が顕在化する。起動回路１３０がオフした場合における容量成分のために、図６に示されるように、ノードＶHの電圧波形において全波整流立下り時における追従性が悪化する。
容量成分のためにノードＶHの追従性が悪化すると、図７に示されるように、当該ノードＶHの電圧がしきい値Ｖth_ac未満にならない場合がある。この場合、制御回路１１０は、起動回路１３０をオンさせることができなくなるので、ノードＶccの電圧が低下し続け、電源制御装置１００が動作不能となって、スイッチング電源１がシステムダウンしてしまう可能性がある。
【００３３】
そこで次のような構成が考えられた。詳細には、図１５に示される構成に、放電回路１４０を設けるとともに、制御回路１１０に放電回路１４０を制御する機能を追加した構成が考えられた。
このような構成において、制御回路１１０は、図８に示されるように、ノードＶccの電圧がしきい値Ｖdet_Lを下回ってからしきい値Ｖdet_U未満の範囲にある場合に、放電回路１４０をオンさせる。
なお、図８において信号Ｄscについては、論理レベルを示しているのではなく、当該Ｄscに基づく放電回路１４０のオン／オフの状態を示している。
【００３４】
放電回路１４０がオンすると、ノードＶHに寄生する容量成分に蓄積された電荷が放電されるので、ノードＶHの電圧波形において全波整流立下り時の追従性が改善され良好な状態となる。この状態において、制御回路１１０は、ノードＶHの電圧がしきい値Ｖth_ac未満であるときに、起動回路１３０をオンさせる。
詳細には、図８に示されるように、ノードＶccの電圧が低下し、時刻ｔ11にてしきい値Ｖdet_Lに到達して、放電回路１４０がオンすると、放電回路１４０のオンによって、ノードＶHの電圧波形において全波整流立下り時の追従性が良好な状態となる。この状態でノードＶHの電圧がしきい値Ｖth_ac未満であるときに、起動回路１３０がオンして、ノードＶccの電圧が上昇し、時刻ｔ12にてしきい値Ｖdet_Uに到達して、放電回路１４０がオフする。
この構成により、トランジスターＱ１１のオン／オフが停止していても、ノードＶccの電圧を上記電圧範囲に収める制御について、低消費電力化することができる、と考えられた。
【００３５】
しかしながら、このような制御は、ノードＶccの負荷、すなわち、コンデンサーＣ１２の充電電圧を用いる負荷が重い場合には、ノードＶHの電圧がしきい値Ｖth_ac未満であるときにおける起動回路１３０のオンだけでは、コンデンサーＣ１２への充電が間に合わず、ノードＶccの電圧が低下し続け、電源制御装置１００が動作不能となってしまう可能性がある。
【００３６】
そこで、本実施形態では、コンパレーター１０６が設けられるとともに、コンパレーター１０６の検出結果も考慮して、起動回路１３０を制御する機能が制御回路１１０に追加されている。詳細には、ノードＶccの電圧がしきい値Ｖdet_Lからさらに低下して、しきい値Ｖmin_Lmt未満となった場合には、制御回路１１０は、ノードＶHの電圧にかかわらず、起動回路１３０をオンさせる。すなわち、制御回路１１０は、ノードＶccの電圧がしきい値Ｖmin_Lmt未満となった場合、コンパレーター１０２の検出結果を無視して、起動回路１３０をオンさせる。
【００３７】
図９は、本実施形態に係る電源制御装置１００による動作を示す図であり、詳細には、ノードＶH、Ｖccの電圧に対する起動回路１３０および放電動作を示す図である。図９に示されるように、ノードＶccの電圧が低下し、時刻ｔ21にてしきい値Ｖdet_Lに到達したときに、ノードＶHの電圧がしきい値Ｖth_ac未満であれば、起動回路１３０がオンする。このオンにより、コンデンサーＣ１２が充電されて、ノードＶccの電圧が一時的に上昇するが、ノードＶccの負荷が大きい場合、この電圧上昇よりも、負荷の消費による電圧低下が勝るために、ノードＶccの電圧が低下し続ける。時刻ｔ22にてノードＶccの電圧がしきい値Ｖmin_Lmt未満となると、起動回路１３０は、ノードＶHの電圧にかかわらずオンするので、ノードＶccの電圧は上昇し続ける。なお、時刻ｔ23にてノードＶccの電圧がしきい値Ｖdet_Uに達すると、起動回路１３０および放電回路１４０はオフする。
【００３８】
第１実施形態に係る電源制御装置１００によれば、ノードＶccの負荷が比較的軽い場合であれば、当該ノードＶccの電圧がしきい値Ｖdet_L以上しきい値Ｖdet_U未満の範囲に低消費電力化で制御される。また、第１実施形態に係る電源制御装置１００によれば、ノードＶccの負荷が比較的重い場合、ノードＶccの電圧低下による電源制御装置１００の動作不能を抑えることができる。
【００３９】
第１実施形態のように、ノードＶccの電圧がしきい値Ｖmin_Lmt未満となった場合に、ノードＶHの電圧にかかわらず、起動回路１３０をオンさせる構成によれば、ノードＶccの電圧を比較的短時間に上昇させることができる。ただし、ノードＶHの電圧が高い状態で起動回路１３０をオンさせるのは、上述したように損失が大きいので、低消費電力化を図るという観点からいえば、改善の余地がある、ということができる。
そこで、この点を改善した第２実施形態について説明する。
【００４０】
図１０は、第２実施形態に係る電源制御装置１００の一例を示す図である。図１０に示される第２実施形態では、図２に示される第１実施形態に対して、切替回路１５２が設けられる。
【００４１】
切替回路１５２は、コンパレーター１０６によってノードＶccの電圧がしきい値Ｖmin_Lmt未満となったと検出された場合に、コンパレーター１０２における正入力端（＋）の電圧Ｖref1を、所定電圧ΔＶだけ高位側にシフトした電圧（Ｖref1＋ΔＶ）に切り替える。
なお、電圧（Ｖref1＋ΔＶ）は、ノードＶHの電圧がしきい値Ｖth_acよりも電圧βだけ高位側である電圧（Ｖth_ac＋Δβ）である場合に、当該ノードＶHの電圧を抵抗素子Ｒ２１、Ｒ２２によって分圧した電圧に相当する。
【００４２】
図１１は、第２実施形態に係る電源制御装置１００による動作を示す図である。この図に示されるように、時刻ｔ21にてノードＶccの電圧がしきい値Ｖdet_L未満となると、起動回路１３０がオンするが、ノードＶccの負荷が重い場合には、ノードＶccの電圧は、なおも低下する。
時刻ｔ22にてノードＶccの電圧がしきい値Ｖmin_Lmt未満となると、切替回路１５２は、電圧Ｖref1を（Ｖref＋ΔＶ）に切り替える。この切り替えにより、コンパレーター１０２においてノードＶHの電圧を比較するための基準が、しきい値Ｖth_acから（Ｖth_ac＋Δβ）に高められる。
【００４３】
したがって、第２実施形態において、起動回路１３０がオンする１回当たりの時間長は、しきい値（Ｖth_ac＋Δβ）であれば、例えば時刻ｔ22から時刻ｔ32までの期間となり、しきい値Ｖth_acである場合における例えば時刻ｔ21から時刻ｔ31までの期間よりも長くなる。
このため、第２実施形態によれば、第１実施形態と比較して、ノードＶccの電圧上昇の程度が第１実施形態と比較して劣るものの、ノードＶHの電圧が高い状態での起動回路１３０のオンによる損失が抑えられるので、その分、低消費電力化を図ることができる。
【００４４】
第２実施形態によれば、第１実施形態と比較して、低消費電力化を図ることができるが、負荷が極端に重い場合に、切替回路１５２によってノードＶHの電圧を比較するための基準を高位電圧に切り替えても、ノードＶccの電圧が低下する可能性がゼロではない。また、ノードＶHの電圧を比較するための基準が、ノードＶccの負荷に比べて高い場合には、損失が大きくなる。
そこで、ノードＶccの負荷に対してノードＶHの電圧を比較するための基準、すなわちしきい値を適応的に切り替える第３実施形態について説明する。
【００４５】
図１２は、第３実施形態に係る電源制御装置１００の一例を示す図である。図１２に示される第３実施形態では、図２に示される第１実施形態に対して、ピーク値保持回路１６２、生成回路１６４、計数回路１６６、しきい値決定回路１６８および選択回路１７０が設けられている。
【００４６】
ピーク値保持回路１６２は、ノードＶHに供給される全波整流電圧を抵抗素子Ｒ２１、２２によって分圧した電圧のピーク値、すなわち最大電圧をサンプリングして、保持する。
生成回路１６４は、ピーク値保持回路１６２によって保持されたピーク値を、例えば分圧して複数の電圧を生成する。なお、ここでいう複数の電圧とは、段階的に異なる電圧であり、例えばピーク電圧の９０％、７０％、５０％、３０％、１０％に相当する電圧である。生成回路１６４は、分圧に限られず、オペアンプなどの係数演算によって当該複数の電圧生成する構成でもよい。
選択回路１７０は、生成回路１６４によって生成された複数の電圧のうち、いずれかの電圧を、しきい値決定回路１６８の指示にしたがって選択する。
【００４７】
計数回路１６６は、コンパレーター１０４によって次のように検出される期間において、コンパレーター１０２によって次のように検出される回数を計数する。詳細には、計数回路１６６は、コンパレーター１０４によって検出される期間、すなわち、ノードＶccの電圧が低下してしきい値Ｖdet_L未満となってから、ノードＶccの電圧が上昇してしきい値Ｖdet_U以上となるまでの期間において、コンパレーター１０２によって検出される回数、すなわち、ノードＶHの電圧がコンパレーター１０２の正入力端（＋）の電圧未満となる回数を計数する。
制御回路１１０は、上記期間において、ノードＶHの電圧がコンパレーター１０４の正入力端（＋）の電圧未満であるときに起動回路１３０をオンさせるので、計数回路１６６は、ノードＶccの電圧がしきい値Ｖdet_Lからしきい値Ｖdet_Uまで回復する期間において、コンデンサーＣ１２に充電された回数を計数することになる。充電回数は、ノードＶccの負荷に応じて変動するので、結局、計数回路１６６による計数回数は、ノードＶccの負荷を示すことになる。
なお、計数回路１６６は、例えばノードＶccの電圧が上昇してしきい値Ｖdet_Hに達したとコンパレーター１０４に検出された時点にて計数回数をリセットする。
【００４８】
しきい値決定回路１６８は、生成回路１６４によって生成された複数の電圧のうち、いずれかの電圧を選択するかについて、計数回路１６６による計数回数に応じて決定して、選択回路１７０に指示する。
具体的には、しきい値決定回路１６８は、計数回路１６６による計数回数がｍ以下であれば、現時点において選択回路１７０において選択している電圧よりも１段低位の電圧への切り替えを指示する。一方、しきい値決定回路１６８は、計数回路１６６による計数回数がｎ以上であれば、現時点において選択回路１７０において選択している電圧よりも１段高位の電圧への切り替えを指示する。
なお、ｍ、ｎは、ｍ＜ｎを満たす整数である。
【００４９】
計数回路１６６による計数回数がｍ以下であるということは、ノードＶccの電圧がしきい値Ｖdet_Lからしきい値Ｖdet_Uまで回復するのに比較的少ない充電回数で済んだということを意味する。ここで、充電回数が少なくて済んだという状態は、逆にいえば、１回当たり充電時間が長い、ということであり、これは、コンパレーター１０２の正入力端（＋）の電圧が高く、損失が大きい状態となっている、ということを意味する。このため、しきい値決定回路１６８は、計数回数がｍ以下であれば、損失を抑えるために、選択回路１７０に対して１段低位の電圧への切り替えを指示する。
【００５０】
反対に、計数回路１６６による計数回数がｎ以上であるということは、ノードＶccの電圧がしきい値Ｖdet_Lからしきい値Ｖdet_Uまで回復するまでの充電が比較的多い回数で必要であったということを意味する。ここで、充電回数が多い、という状態は、逆にいえば、コンパレーター１０２の正入力端（＋）の電圧が低いために、１回当たり充電時間が短くなり、ノードＶccの電圧がしきい値Ｖdet_Uまで回復するまでに時間を要した、ということを意味する。このため、しきい値決定回路１６８は、計数回数がｎ以上であれば、より短い時間でノードＶccの電圧が回復するように、選択回路１７０に対して１段高位の電圧への切り替えを指示する。
【００５１】
なお、しきい値決定回路１６８および選択回路１７０が、第１電圧、当該第１電圧よりも低位の電圧、または、当該第１電圧よりも高位の電圧に切り替える切替回路の一例である。
また、計数回路１６６による計数回数がｍよりも大きく、かつ、ｎよりも小さい場合、しきい値決定回路１６８は、選択回路１７０に対して電圧の切り替えを指示しない。
【００５２】
したがって、第３実施形態によれば、複数回の切り替えを経たときに、充電回数、すなわちノードＶccに対する負荷に対して、ノードＶHの電圧を比較するための基準、すなわち、起動回路１３０をオンさせる基準が適切に設定されるので、電源制御装置１００の動作不能を回避しつつ、低消費電力化を図ることができる。
また、第３実施形態によれば、交流電源１０の電圧に依存することなく、起動回路１３０をオンさせる基準が適応的に設定されるので、国や地域などに関係なく、スイッチング電源１を使用できる、という効果もある。
【００５３】
上述した第１実施形態や、第２実施形態、第３実施形態において、放電回路１４０のオンは、容量成分に蓄積された電荷の放電であるから、一種の損失である。このため、ノードＶccの電圧がしきい値Ｖdet_Lを下回ってからしきい値Ｖdet_U未満の範囲となる期間の全部にわたって放電回路１４０をオンさせる、という構成は、低消費電力化を図る、という観点でいえば、改善の余地がある、ということができる。
そこで、この点を改善した第４実施形態について説明する。
【００５４】
図１３は、第４実施形態に係る電源制御装置１００の一例を示す図である。
なお、図１３に示される第４実施形態では、図２に示される第１実施形態に適用した場合の構成であり、第１実施形態に対して、ピーク検出回路１５０が設けられるとともに、ピーク検出回路１５０の検出結果に基づいて放電回路１４０を制御する機能が制御回路１１０に追加されている。
【００５５】
ピーク検出回路１５０は、ノードＶHを分圧した電圧波形のピークを検出して、検出したピークのタイミングを制御回路１１０に通知する。
制御回路１１０は、ノードＶccの電圧がしきい値Ｖdet_Lを下回ってからしきい値Ｖdet_U未満の範囲にある場合に、ピーク検出回路１５０によって検出されたピークのタイミング後、放電回路１４０を間欠的にオンさせる。
【００５６】
制御回路１１０は、ノードＶHの電圧がしきい値Ｖth_ac未満であるときに、起動回路１３０をオンさせる点は第１実施形態と同様である。ここで、起動回路１３０をオンさせると、ノードＶHの負荷が大きくなるので、当該ノードＶHの電圧波形において全波整流立下り時の追従性が良好となり、放電回路１４０をオンさせる必然性が乏しいと言える。そこで、本実施形態において、制御回路１１０は、放電回路１４０の間欠的なオンについて、ノードＶHにおける電圧のピークが検出されてから、当該電圧がしきい値Ｖth_ac未満となって起動回路１３０をオンさせるまでの期間に実行する。
【００５７】
ただし、ノードＶccの電圧が低下してしきい値Ｖdet_Lに達したとき、ノードＶHの電圧を、全波整流立下り時の追従性が良好な状態で検出する必要がある。このため、制御回路１１０は、ノードＶccの電圧がしきい値Ｖdet_Lに達したときには、例外的にノードＶHの電圧にかかわらず、放電回路１４０をオンさせ、ノードＶHにおける電圧がしきい値Ｖth_ac未満となって起動回路１３０をオンさせたときに、放電回路１４０を間欠的にオンさせない構成となっている。
【００５８】
図１４は、第４実施形態に係る電源制御装置１００の動作を示す図である。
この図に示されるように、ノードＶccの電圧低下し、時刻ｔ41にてしきい値Ｖdet_Lに到達したとき、放電回路１４０が間欠的ではなく、例外的にオンしている。放電回路１４０のオンによって、ノードＶHの電圧波形において全波整流立下り時における追従性が良好な状態となり、この状態においてノードＶHの電圧が時刻ｔ42にてしきい値Ｖth_ac未満であるときに、起動回路１３０がオンし、放電回路１４０がオフしている。
【００５９】
時刻ｔ43にてノードＶHの電圧がピークとなった後、放電回路１４０が間欠的にオンする。時刻ｔ44において、ノードＶHにおける電圧がしきい値Ｖth_ac未満になると、起動回路１３０がオンする一方で、放電回路１４０は、間欠的なオンを中断して、オフに移行する。
【００６０】
時刻ｔ45にてノードＶHの電圧が再びピークとなったとき、放電回路１４０の間欠的なオンが再開する。ノードＶHにおける電圧がしきい値Ｖth_ac未満になると、起動回路１３０がオンする一方で、放電回路１４０は、間欠的なオンを中断して、オフに移行する。このような動作は、ノードＶccの電圧が時刻t46にてしきい値Ｖmin_Lmtに達するまで、繰り返される。
【００６１】
第４実施形態に係る電源制御装置１００によれば、第１実施形態と比較して、放電回路１４０の間欠的なオンによって損失が低減される分、さらなる低消費電力化を図ることができる。
【００６２】
なお、第４実施形態において、制御回路１１０は、起動回路１３０をオンさせる際に、放電回路１４０をオフさせるのではなく、間欠的なオンを継続する構成としてもよい。  すなわち、第４実施形態において、制御回路１１０は、ノードＶHの電圧がピークとなった後、放電回路１４０を予め定められた回数分だけ間欠的にオンする構成としてもよい。
【００６３】
また、第４実施形態における放電回路１４０の間欠的なオンについては、第１実施形態に限られず、第２実施形態または第３実施形態にも適用可能である。
【００６４】
第１乃至び第４実施形態において、降圧回路１２０は必ずしも必要ではない。降圧回路１２０を設けない場合、ノードＶccとノードＮとを同一視すればよい。
また、ノードＶHの電圧がしきい値Ｖth_ac未満となれば、毎回、起動回路１３０をオンさせたが、ノードＶHの電圧がしきい値Ｖth_ac未満となる場合のうち、複数回につき１回の割合で起動回路１３０をオンさせる構成としてもよい。
【００６５】
なお、ノードＶHの電圧がしきい値Ｖth_ac未満であって、ゼロ近傍である場合、トランジスター１３４において、ソースノードおよびゲートノード間の電圧が不十分となるので、オンしない。このため、厳密にいえば、ノードＶHの電圧がゼロ近傍である場合、コンデンサーＣ１２が充電されないので、ノードＶccの電圧は上昇せず、フラットになる。ただし、図５、図８、図９、図１１および図１４においては、説明の簡略化のために、ノードＶHの電圧がしきい値Ｖth_ac未満であれば、ゼロ近傍であっても、ノードＶccの電圧が一定の割合で上昇するものとして表現されている。
【符号の説明】
【００６６】
１…スイッチング電源、４０…トランス、１００…電源制御装置、１０２、１０４、１０６…コンパレーター、１１０…制御回路、１２０…降圧回路、１３０…起動回路、１４０…放電回路、Ｑ１１、１２２、１３４、１４４…トランジスター、ｄ１１、ｄ１２、ｄ１３、ｄ１４…ダイオード、Ｃ１１、Ｃ１２、Ｃ１４…コンデンサー。
【図１】
2020156257.tif 000003
【図２】
2020156257.tif 000004
【図３】
2020156257.tif 000005
【図４】
2020156257.tif 000006
【図５】
2020156257.tif 000007
【図６】
2020156257.tif 000008
【図７】
2020156257.tif 000009
【図８】
2020156257.tif 000010
【図９】
2020156257.tif 000011
【図１０】
2020156257.tif 000012
【図１１】
2020156257.tif 000013
【図１２】
2020156257.tif 000014
【図１３】
2020156257.tif 000015
【図１４】
2020156257.tif 000016
【図１５】
2020156257.tif 000017